(57)【要約】【課題】  利用者による手動操作及び画面目視によりパルス列信号のＰＲＩを高精度に測定する。【解決手段】  測定器本体に設けられた入力端子部と、この入力端子部を介して入力されたパルス列信号のパルス波形を表示する表示部と、この表示部に表示されるパルス波形の表示周期を制御する基準パルス信号を出力する基準信号発生部と、この基準パルス信号発生部から出力された基準パルス信号が入力され、その入力された基準パルス信号の発生周波数に基づいて前記表示部に表示されるパルス列信号の表示データを生成する表示制御部と、この表示制御部により生成された表示データに基づき表示されるパルス波形の表示周期が前記入力端子部を介して入力されたパルス列信号のパルス繰り返し周期と同じになるように前記基準信号発生部に基準パルス信号の発生周波数を指示する操作部とを備えた。【選択図】        図１
2008196895.tif 000002
【特許請求の範囲】
【請求項１】
測定器本体に設けられた入力端子部と、この入力端子部を介して入力されたパルス列信号のパルス波形を表示する表示部と、この表示部に表示されるパルス波形の表示周期を制御する基準パルス信号を出力する基準信号発生部と、この基準パルス信号発生部から出力された基準パルス信号が入力され、その入力された基準パルス信号の発生周波数に基づいて前記表示部に表示されるパルス列信号の表示データを生成する表示制御部と、この表示制御部により生成された表示データに基づき表示されるパルス波形の表示周期が前記入力端子部を介して入力されたパルス列信号のパルス繰り返し周期と同じになるように前記基準信号発生部に基準パルス信号の発生周波数を指示する操作部とを備えたＰＲＩ測定装置。
【請求項２】
測定器本体に設けられた入力端子部に入力されたパルス列信号のパルス波形を基準信号発生部から発生された基準パルス信号の発生周波数に対応する表示周期により表示部に表示させ、その表示部に表示されたパルス波形の表示位置がばらつく場合において、前記基準信号発生部から発生させる基準パルス信号の発生周波数を選択する操作部を操作して前記表示部に表示されるパルス波形の表示位置が継続して同じ位置になるように前記基準信号発生部から出力される基準パルス信号の発生発生周波数を選択し、その選択した基準パルス信号に基づいて前記入力端子部に入力されたパルス列信号のパルス波形を前記表示部に表示させ、その表示内容と前記操作部を操作して選択した基準パルス信号の発生周波数とから前記入力端子部に入力されたパルス列信号のパルス繰り返し間隔を測定するようにしたＰＲＩ測定方法。
【発明の詳細な説明】
【技術分野】
【０００１】
この発明は、レーダパルス等、複数のパルスからなるパルス列信号のパルス繰返し間隔（Ｐｕｌｓｅ  Ｒｅｐｅｔｉｔｉｏｎ  Ｉｎｔｅｒｖａｌ：以下、ＰＲＩという）を正確に測定するＰＲＩ測定方法およびこれを用いたＰＲＩ測定装置に関する。
【背景技術】
【０００２】
例えば、従来のレーダパルス信号のＰＲＩの測定では、受信装置等により受信したレーダパルス信号をビデオ信号に変換し、その変換されたビデオ信号をサンプリング処理して受信したレーダパルス信号のサンプリングデータを生成し、そのサンプリングデータに基づいて当該受信したレーダパルス信号のＰＲＩを測定している。したがって、サンプリング処理のサンプリング周期を長く設定した場合には、サンプリング処理により得られるサンプリングデータが少なく、サンプリング周期を短く設定するほどデータ量を多くすることができ、より正確なＰＲＩを測定することが可能である。一方、サンプリングデータのデータ量が増えると長時間の処理時間を要し、その処理時間の増加に伴って装置の処理負担も大きくなるため、少ないデータ量でも精度の高いＰＲＩの測定が実現できる手法等も提案されている。
【０００３】
【特許文献１】特開２００１−２２１８４５号公報（段落〔００１２〕−〔００１４〕、図１等）
【発明の開示】
【発明が解決しようとする課題】
【０００４】
しかし、従来のＰＲＩ測定方法は以上のように構成されているので、例えば上述したようなサンプリング周期を短く設定すること等により高精度のＰＲＩの測定を実現することが可能であるものの、このような測定結果を利用する利用者にとっては、測定結果がどの程度正確なものであるのかを認識することができず、当該測定結果を正確なものとして取扱わねばならないという問題点があった。
【０００５】
例えば、利用者がこのようなＰＲＩの測定結果の測定精度を知ることができれば、その後のパルス諸元の分析作業等を円滑に進めることが可能である。
【０００６】
この発明は、上記課題を解消するためになされたもので、例えば、パルス列信号のパルス諸元等を分析する利用者が手動操作及び目視によって当該パルス列信号のＰＲＩを測定することができ、かつより高精度にパルス列信号のＰＲＩを測定することができる新規なＰＲＩ測定方法およびこれを用いたＰＲＩ測定装置を提供することを目的とする。
【課題を解決するための手段】
【０００７】
この発明に係るＰＲＩ測定装置は、測定器本体に設けられた入力端子部と、この入力端子部を介して入力されたパルス列信号のパルス波形を表示する表示部と、この表示部に表示されるパルス波形の表示周期を制御する基準パルス信号を出力する基準信号発生部と、この基準パルス信号発生部から出力された基準パルス信号が入力され、その入力された基準パルス信号の発生周波数に基づいて前記表示部に表示されるパルス列信号の表示データを生成する表示制御部と、この表示制御部により生成された表示データに基づき表示されるパルス波形の表示周期が前記入力端子部を介して入力されたパルス列信号のパルス繰り返し周期と同じになるように前記基準信号発生部に基準パルス信号の発生周波数を指示する操作部とを備えたものである。
【０００８】
この発明に係るＰＲＩ測定方法は、測定器本体に設けられた入力端子部に入力されたパルス列信号のパルス波形を基準信号発生部から発生された基準パルス信号の発生周波数に対応する表示周期により表示部に表示させ、その表示部に表示されたパルス波形の表示位置がばらつく場合において、前記基準信号発生部から発生させる基準パルス信号の発生周波数を選択する操作部を操作して前記表示部に表示されるパルス波形の表示位置が継続して同じ位置になるように前記基準信号発生部から出力される基準パルス信号の発生発生周波数を選択し、その選択した基準パルス信号に基づいて前記入力端子部に入力されたパルス列信号のパルス波形を前記表示部に表示させ、その表示内容と前記操作部を操作して選択した基準パルス信号の発生周波数とから前記入力端子部に入力されたパルス列信号のパルス繰り返し間隔を測定するようにしたものである。
【発明の効果】
【０００９】
この発明によれば、例えば、パルス列信号のパルス諸元等を分析する利用者が手動操作及び目視によって当該パルス列信号のＰＲＩを測定することができ、かつより高精度にパルス列信号のＰＲＩを測定することができる。
【発明を実施するための最良の形態】
【００１０】
実施の形態１．
以下、この発明の実施の形態１について図１及び図２を用いて説明する。図１は実施の形態１によるＰＲＩ測定装置を示すブロック構成図である。図１において、１は複数のパルスからなるパルス列信号のパルス繰返し間隔（Ｐｕｌｓｅ  Ｒｅｐｅｔｉｔｉｏｎ  Ｉｎｔｅｒｖａｌ：以下、ＰＲＩという）を測定するＰＲＩ測定装置、２はＰＲＩ測定装置１の本体に設けられたコネクタ等の入力端子部、３は入力端子部２を介して測定装置１内部に取り込まれたパルス列信号（ビデオ信号）が入力され、その入力された測定対象であるパルス列信号の表示データを生成する表示制御部、４は表示制御部３により生成された表示データに基づいて測定対象であるパルス列信号のパルス波形を表示する表示部、５は表示部４に表示されるパルス波形の表示周期を制御する基準パルス信号を出力する基準信号発生部、６はＰＲＩ測定装置１の操作オペレータ等（以下、利用者という）により操作され、その操作に基づき基準信号発生部５から発生させる基準パルス信号の発生周波数を所望の周波数に設定する操作部である。
【００１１】
なお、７は表示部４及び操作部６からなる操作表示部であり、例えば、表示部４の表示画面と操作部６の操作ボタン等を測定装置１本体の共通する側面等に配置したものである。したがって、ＰＲＩ測定装置１の利用者は、表示部４の表示内容を目視により確認しながら操作部６を操作することができ、表示部４の表示内容に応じて基準信号発生部５から発生させる基準パルス信号の発生周波数を選択することができる。利用者が操作部６を介して基準パルス信号の発生周波数を選択するとその選択内容が基準信号発生部５に指示され、基準信号発生部５は操作部６より指示された発生周波数の基準パルス信号を発生する。
【００１２】
次に図１に示すＰＲＩ測定装置１の測定原理について説明する。入力端子部２を介して測定装置１内部に取り込まれたパルス列信号は表示制御部３に入力され、表示制御手段３は基準信号生成部５から出力された基準パルス信号の発生周波数に対応した表示周期となるように測定対象であるパルス列信号の表示データを生成する。この表示データに基づき表示部４に表示されるパルス波形の表示周期は基準信号生成部５から出力された基準パルス信号の発生周波数に対応する周期となっている（発生周波数の逆数が表示部４に表示されるパルス波形の表示周期である）。一方、測定対象であるパルス列信号も所定のＰＲＩを有しており、この入力端子部２に入力されたパルス列信号のＰＲＩと基準信号生成部５から供給された基準パルス信号のＰＲＩとが同じである場合には、表示部４に表示されるパルス波形の表示周期を基準パルス信号のＰＲＩと同期させることができ、このように表示部４に表示されるパルス波形の表示周期を基準パルス信号のＰＲＩとが同期表示させることにより、表示部４に表示されるパルス列信号のパルス波形を常時同じ位置に表示させることができる。
【００１３】
すなわち、ＰＲＩ測定装置１の利用者が操作部６により基準信号発生部５から発生させる基準パルス信号の発生周波数を選択し、その選択した発生周波数の基準パルス信号に基づき表示部４に表示されたパルス波形の表示位置が常時同じ位置となる場合には、その選択した基準パルス信号の発生周波数が測定対象である入力端子部２に入力されたパルス列信号の繰り返し周波数（ＰＲＩの逆数）と一致していることとなり、その選択した基準パルス信号の発生周波数と表示部４の表示内容とからＰＲＩ測定装置１の利用者が目視にて入力端子部２に入力されたパルス列信号のＰＲＩを測定することができる（基準パルス信号の発生周波数の逆数が測定対象であるパルス列信号のＰＲＩに相当する）。
【００１４】
次に図１に示すようなＰＲＩ測定装置１を用いたパルス列信号のＰＲＩの測定方法について図２及び図３を用いて説明する。図２は図１に示すＰＲＩ測定装置１を用いたパルス列信号のＰＲＩの測定方法を説明するための模式図であり、図２において、８はレーダパルス信号を受信処理する受信装置９、受信装置９から出力された受信パルス信号（ビデオ信号）に基づき信号処理する信号処理部１０、及び信号処理部の処理により生成されたパルスデータに基づいて受信装置９により受信したレーダパルス信号のパルス諸元を識別する信号識別部１１により構成されるレーダ装置、１２はレーダ装置８とＰＲＩ測定装置１とを接続し、測定対象である受信パルス信号を受信装置９からＰＲＩ測定装置１に供給する接続ケーブル等の接続手段である。
【００１５】
利用者はまず接続手段１２の一端をレーダ装置１の受信装置９に接続し、接続手段１２の他端をＰＲＩ測定装置１の入力端子部２に接続する。受信装置９とＰＲＩ測定装置１とが接続手段１２により接続されると、受信装置９から出力された受信パルス信号（ビデオ信号）が接続手段１２及び入力端子部２を介してＰＲＩ測定装置１の内部に取り込まれる。一方、利用者が操作部６を操作して基準信号発生部５から出力される基準パルス信号の発生周波数を選択すると、基準信号発生部５は利用者により選択された発生周波数の基準パルス信号を表示制御部３に出力する。表示制御部３は表示部４に表示されるパルス波形の表示周期が基準信号発生部５から供給された基準パルス信号の発生周波数に対応する周期となるように入力端子部２に供給された受信パルス信号の表示データを生成する。
【００１６】
ここで、表示制御部３の動作について具体的に説明する。表示制御部３は、基準信号生成部５により発生された基準パルス信号のＰＲＩに同期するタイミングで表示制御部３に入力されたパルス列信号の表示データを生成しており、表示制御部３に入力されたパルス列信号のＰＲＩと基準信号生成部５から供給された基準パルス信号のＰＲＩとが同じである場合には、これらを同期させることにより、表示部４に表示されるパルス波形の表示タイミングを基準パルス信号のＰＲＩと同期させることができ、その結果、表示部４に表示されるパルス列信号のパルス波形を常時同じ位置に表示させることができる。一方、表示制御部３に入力されたパルス列信号のＰＲＩと基準信号生成部５から供給された基準パルス信号のＰＲＩとが異なる場合には、表示部４に表示されるパルス波形の表示タイミングを基準パルス信号のＰＲＩと同期させることができず、表示部４に表示されるパルス波形はその表示位置がばらつき、入力端子部２に入力されたパルス列信号のパルス波形常時同じ位置に表示させることはできない。
【００１７】
図３はＰＲＩ測定装置１の測定結果を示す表示画面図である。図３（ａ）は入力端子部２に供給された受信パルス列信号のＰＲＩと基準信号生成部５から供給された基準パルス信号のＰＲＩとが同じではなく、表示部４に表示されるパルス波形の表示タイミングを基準パルス信号のＰＲＩと同期させることができない場合の表示部４の表示画面図、図３（ｂ）は入力端子部２に供給された受信パルス列信号のＰＲＩと基準信号生成部５から供給された基準パルス信号のＰＲＩとが同じであり、表示部４に表示されるパルス波形の表示タイミングを基準パルス信号のＰＲＩと同期させた場合の表示部４の表示画面図である。図３において、１３は基準信号生成部５から出力された基準パルス信号のパルス波形、１４は基準信号生成部５から出力された基準パルス信号のＰＲＩと異なるＰＲＩを有する受信パルス列信号のパルス波形、１５は基準信号生成部５から出力された基準パルス信号のＰＲＩと同じＰＲＩを有する受信パルス列信号のパルス波形である。
【００１８】
図３（ａ）に示すように、基準信号生成部５から表示制御部２に供給される基準パルス信号のＰＲＩと入力端子部２に入力された受信パルス列信号のＰＲＩとが異なる場合には、表示部４に表示されるパルス波形の表示タイミングと入力端子部２から入力されたパルス列信号のパルス繰り返し周期とが同期しておらず、表示部４に表示される受信パルス列信号のパルス波形の位置はばらつく。実際にはパルス列信号のＰＲＩが非常に短いため表示部４に表示されるパルス波形は複数のパルス波形が同時に表示されているように認識される。一方、図３（ｂ）に示すように、基準信号生成部５から表示制御部３に供給される基準パルス信号のＰＲＩと入力端子部２から入力された受信パルス列信号のＰＲＩとが一致し、基準信号生成部５から供給された基準パルス信号のＰＲＩと同期するタイミングにて入力端子部２から入力された受信パルス列信号の表示データが生成される場合には、表示部４に表示されるパルス波形の表示タイミングと入力端子部２から入力された受信パルス列信号のパルス繰り返し周期とを同期して表示さることができ、表示部３に表示されるパルス列信号のパルス波形は同じ位置に表示され、一つのパルス波形が表示されているように認識される。
【００１９】
そして、ＰＲＩ測定装置１の利用者は、表示部４に表示されるパルス波形の表示位置を目視にて確認しながら操作部５を操作することにより、そのパルス波形の表示位置が常時同じ位置となるような基準パルス信号の発生周波数を選択することができ、表示部４の表示内容とパルス波形の表示位置が常時同じ位置となるように選択したときの基準パルス信号の発生周波数とから入力端子部２から入力された受信パルス列信号のＰＲＩを測定することができる。
【００２０】
以上のように、実施の形態１によるＰＲＩ測定装置１では、ＰＲＩ測定装置１の利用者が表示部４に表示された受信パルス列信号のパルス波形を目視により確認しながら操作部６を操作することにより、表示部４に表示されるパルス波形の表示位置が常時同じ位置となるように基準信号生成部５から表示制御部３に供給される基準パルス信号の発生周波数を選択することができ、このようにして選択した基準パルス信号の発生周波数と表示部４の表示内容とから入力端子部２に供給された受信パルス列信号のＰＲＩを正確に測定することができる。
【００２１】
なお、実施の形態１では、他の装置であるレーダ装置８と実施の形態１によるＰＲＩ測定装置１とを接続ケーブル等の接続手段１２を介して接続し、レーダ装置８から供給されたレーダパルスのＰＲＩを測定する構成としたが、本発明の技術的特徴であるＰＲＩ測定装置１の測定機能をレーダ装置８の一機能として付加してもよく、同様の効果を得ることができる。例えば、上述したようなＰＲＩ測定装置１の測定機能を有する回路基板等を製作し、このような回路基板をレーダ装置８に組み込むことにより、レーダ装置８に図１に示すようなＰＲＩ測定装置１の機能を持たせることができる。この場合、レーダ装置８とＰＲＩ測定装置１とを接続ケーブル等の接続手段１２を用いて接続する必要がなく、かつ、レーダ装置において分析されたパルス諸元の分析結果（ＰＲＩのみ）の精度を利用者が目視にて確認することができる。
【００２２】
また、実施の形態１では、測定対象となるパルス列信号としてレーダパルス信号の場合について説明したが、これに限定されるものではなく、他の用途に用いられる各種のパルス列信号についても本発明を適用することによりそのＰＲＩを正確に測定することができるものである。
【図面の簡単な説明】
【００２３】
【図１】実施の形態１によるＰＲＩ測定装置を示すブロック構成図である。
【図２】図１に示すＰＲＩ測定装置１を用いたパルス列信号のＰＲＩの測定方法を説明するための模式図である。
【図３】図１に示すＰＲＩ測定装置１の測定結果を示す表示画面図である。
【符号の説明】
【００２４】
１  ＰＲＩ測定装置、２  入力端子部、３  表示制御部、４  表示部、
５  基準信号発生部、６  操作部、７  操作表示部。
【図１】
2008196895.tif 000003
【図２】
2008196895.tif 000004
【図３】
2008196895.tif 000005